【手続補正書】
【提出日】令和3年11月11日(2021.11.11)
【手続補正１】
【補正対象書類名】明細書
【補正対象項目名】発明の名称
【補正方法】変更
【補正の内容】
【発明の名称】会話出力システム、サーバ、会話出力方法及びプログラム
【手続補正２】
【補正対象書類名】明細書
【補正対象項目名】０００１
【補正方法】変更
【補正の内容】
【０００１】
本発明は、会話出力システム、サーバ、会話出力方法及びプログラムに関する。
【手続補正３】
【補正対象書類名】明細書
【補正対象項目名】０００６
【補正方法】変更
【補正の内容】
【０００６】
上記目的を達成するため、本発明の会話出力システムは、
ユーザに関する情報と、前記ユーザが所有する端末の周囲の状況の情報である状況情報との少なくとも一方の情報である第１情報を取得する情報取得手段と、
前記情報取得手段によって取得された前記第１情報を外部のサーバへ送信する情報送信手段と、を備える端末と、
前記情報送信手段によって送信された第１情報を受信する情報受信手段と、前記情報受信手段によって受信された前記第１情報に基づいて、前記端末が制御するロボットと所定の対象とによる前記第１情報に適合する会話を示す会話データを作成する作成手段と、前記作成手段によって作成された会話データを前記端末へ送信するデータ送信手段と、を備えるサーバと、
を含み、
前記端末は更に、前記データ送信手段によって送信された会話データを受信するデータ受信手段と、
前記データ受信手段によって受信された前記会話データのみに基づいて、前記ロボットと前記所定の対象とによる前記第１情報に適合する会話を前記ロボットに出力させるよう制御する制御手段と、
を備える。
【手続補正４】
【補正対象書類名】特許請求の範囲
【補正対象項目名】全文
【補正方法】変更
【補正の内容】
【特許請求の範囲】
【請求項１】
ユーザに関する情報と、前記ユーザが所有する端末の周囲の状況の情報である状況情報との少なくとも一方の情報である第１情報を取得する情報取得手段と、
前記情報取得手段によって取得された前記第１情報を外部のサーバへ送信する情報送信手段と、を備える端末と、
前記情報送信手段によって送信された第１情報を受信する情報受信手段と、前記情報受信手段によって受信された前記第１情報に基づいて、前記端末が制御するロボットと所定の対象とによる前記第１情報に適合する会話を示す会話データを作成する作成手段と、前記作成手段によって作成された会話データを前記端末へ送信するデータ送信手段と、を備えるサーバと、
を含み、
前記端末は更に、前記データ送信手段によって送信された会話データを受信するデータ受信手段と、
前記データ受信手段によって受信された前記会話データのみに基づいて、前記ロボットと前記所定の対象とによる前記第１情報に適合する会話を前記ロボットに出力させるよう制御する制御手段と、
を備える、
ことを特徴とする会話出力システム。
【請求項２】
前記会話の話題を選定する選定手段を更に備え、
前記作成手段は、前記選定手段によって選定された話題と前記第１情報とに基づいて前記会話データを作成する、
ことを特徴とする請求項１に記載の会話出力システム。
【請求項３】
前記選定手段は前記会話における第１の話題を選定し、
前記作成手段は、前記選定された第１の話題と前記第１情報とに基づいて第１の会話データを作成し、
前記選定手段は更に、前記制御手段によって前記第１の会話データに基づく会話を出力するよう制御された後に、前記選定した第１の話題とは異なる第２の話題を選定し、
前記作成手段は更に、前記選定された第２の話題と前記第１情報とに基づいて第２の会話データを作成する、
ことを特徴とする請求項２に記載の会話出力システム。
【請求項４】
前記作成手段は更に、
前記第１の会話データと前記第２の会話データとの間をつなぐ文章であるつなぎ文を作成する、
ことを特徴とする請求項３に記載の会話出力システム。
【請求項５】
前記ユーザの居住国を取得する居住国取得手段をさらに備え、
前記作成手段が作成する会話データは、前記会話データについて前記居住国取得手段によって取得した居住国の言語に翻訳されたものである、
ことを特徴とする請求項１から４のいずれか１項に記載の会話出力システム。
【請求項６】
前記ロボットは、
前記第１情報としての前記状況情報を取得する第１センサと、
前記第１センサが取得した前記第１情報としての前記状況情報を、前記端末へ送信する状況送信手段と、
を備えることを特徴とする請求項１から５のいずれか１項に記載の会話出力システム。
【請求項７】
前記所定の対象とは、前記ロボットとは別個に設けられ、前記ユーザとは異なる他のユーザに属する他のロボットであり、
前記情報受信手段は更に、前記他のユーザに関する情報と、前記他のロボットの周囲の状況の情報である状況情報との少なくとも一方の情報である第２情報を前記他のロボットを制御する端末から受信し、
前記作成手段は更に、前記第１情報と前記第２情報とに基づいて、前記端末が制御するロボットと前記他のロボットとによる前記第１情報と前記第２情報に適合する会話を示す会話データを作成する、
ことを特徴とする請求項１から６のいずれか１項に記載の会話出力システム。
【請求項８】
前記所定の対象は仮想のロボットであり、
前記作成手段は更に、前記仮想のロボットに関する第２情報を設定し、前記第１情報及び前記設定した前記第２情報に基づいて、前記会話データとして、前記ロボットと前記仮想のロボットとが前記第１及び第２情報に適合する会話を示す会話データを作成する、
ことを特徴とする請求項１から６のいずれか１項に記載の会話出力システム。
【請求項９】
前記ユーザから当該ユーザが個人情報を公開したいと考えているか否かを示すユーザ意向情報を取得するユーザ意向情報取得手段を更に備え、
前記作成手段は、前記取得した前記ユーザ意向情報により前記ユーザが個人情報を公開したいと考えていることが示されている場合に、前記ユーザに関する情報を含めた前記第１情報に基づいて、前記会話データを作成する、
ことを特徴とする請求項１から８のいずれか１項に記載の会話出力システム。
【請求項１０】
前記サーバは、ＳＮＳ（Ｓｏｃｉａｌ  Ｎｅｔｗｏｒｋｉｎｇ  Ｓｅｒｖｉｃｅ）を提供可能に構成され、
前記端末は、前記ＳＮＳにアクセスするＳＮＳクライアントソフトとして機能し、
前記会話とは、前記ＳＮＳへの書き込み内容である、
ことを特徴とする請求項１から９のいずれか１項に記載の会話出力システム。
【請求項１１】
前記端末は表示手段を更に備え、
前記制御手段は、前記作成手段によって作成された会話データを前記表示手段に表示する、
ことを特徴とする請求項１から１０のいずれか１項に記載の会話出力システム。
【請求項１２】
前記端末は音声出力手段を更に備え、
前記制御手段は、前記作成手段によって作成された会話データを前記音声出力手段から出力させる、
ことを特徴とする請求項１から１１のいずれか１項に記載の会話出力システム。
【請求項１３】
ロボットのユーザに関する情報、及び、前記ロボットの周囲の状況の情報である状況情報の少なくとも一方の情報を取得する情報取得手段と、
前記取得した前記情報に基づいて、前記ロボットと所定の対象とが少なくとも前記少なくとも一方の情報に適合する会話を示す会話データを作成する作成手段と、
前記作成手段によって作成された前記会話データを、前記ロボットとは別個に設けられた端末に送信する送信手段と、
を備えることを特徴とするサーバ。
【請求項１４】
会話出力システムによって実行される会話出力方法であって、
ユーザに関する情報と、前記ユーザが所有する端末の周囲の状況の情報である状況情報との少なくとも一方の情報を取得する情報取得ステップと、
前記情報取得ステップにて取得された前記情報に基づいて、前記端末が制御するロボットと所定の対象とによる前記少なくとも一方の情報に適合する会話を示す会話データを作成する作成ステップと、
前記作成ステップにて作成された会話データのみに基づいて、前記ロボットと前記所定の対象とによる前記少なくとも一方の情報に適合する会話を前記ロボットに出力させるよう制御する制御ステップと、
を含むことを特徴とする会話出力方法。
【請求項１５】
サーバのコンピュータを、
ロボットのユーザに関する情報、及び、前記ロボットの周囲の状況の情報である状況情報の少なくとも一方の情報を取得する情報取得手段、
前記取得した前記少なくとも一方の情報に基づいて、前記ロボットと所定の対象とが少なくとも前記少なくとも一方の情報に適合する会話を示す会話データを作成する作成手段、
前記作成手段によって作成された前記会話データを、前記ロボットとは別個に設けられた端末に送信する送信手段、
として機能させるためのプログラム。